(57)【要約】  動くことが可能な家具部品用の放出装置であって、力を前記動くことが可能な家具部品に伝達するためのレバーを備えており、このレバーは、支点を中心にして制限された範囲内で枢動するように取り付けられたレバー本体を有している。また、このレバー本体は、自由端を有しており、前記レバー本体（３）は、前記支点及び前記レバー自由端（４）から所定の距離に位置する曲線部（９）を有することを特徴とする放出装置である。【選択図】図３ａ
2008539343.tif 000002
【特許請求の範囲】
【請求項１】
動くことが可能な家具部品用の放出装置であって、
力を前記動くことが可能な家具部品に伝達するためのレバーを備えており、
このレバーは、支点を中心にして制限された範囲内で枢動するように取り付けられたレバー本体を有しており、
このレバー本体は、自由端を有しており、
前記レバー本体（３）は、前記支点及び前記レバー自由端（４）から所定の距離に位置する曲線部（９）を有することを特徴とする放出装置。
【請求項２】
レバー本体（３）は、長楕円形であって、
少なくとも一つの更なる曲線部（１４）が、最初の曲線部（９）に隣接していることを特徴とする請求項１に記載の放出装置。
【請求項３】
曲線部（９）は、円弧状であることを特徴とする請求項１又は２に記載の放出装置。
【請求項４】
レバー本体（３）の、動くことが可能な家具部品（８）に接触する接触位置（１０）が、
動くことが可能な家具部品（８）を押すときにモーメントアーム（ｒ）の均一な移行をなすべくレバー自由端（４）に向かって支点の近傍から変化するように、
曲線部（９）が形成されていることを特徴とする請求項１から３のいずれかに記載の放出装置。
【請求項５】
センサー好ましくは回転型ポテンショメータは、レバー（２）の角度位置を得るために装着されていることを特徴とする請求項１から４のいずれかに記載の放出装置。
【請求項６】
センサーからの信号は、作動制御ユニットに伝達されて、
放出装置（１）のアクチュエータがこの作動制御ユニットによって起動されることを特徴とする請求項５に記載の放出装置。
【請求項７】
家具本体内又はこれに接して配置されており、閉端位置から動くことが可能な家具部品と、請求項１から６のいずれかに記載の放出装置とを備える家具であって、
前記放出装置（１）は、前記動くことが可能な家具部品（８）が閉端位置にあるときにレバー本体（３）が、前記動くことが可能な家具部品（８）上に曲線部（９）で当接するように家具本体に配置されていることを特徴とする家具。
【請求項８】
隆起部（１１）が、レバー本体（３）の曲線部（９）に相互作用する、動くことが可能な家具部品（８）上に形成されていることを特徴とする請求項７に記載の家具。
【請求項９】
隆起部（１１）は、動くことが可能な家具部品（８）上に配置されたアイドラーローラー（７）を備えることを特徴とする請求項８に記載の家具。
【請求項１０】
放出装置（１）は、閉端位置にある場合に、
レバー本体（３）が接触する動くことが可能な家具部品（８）上の接触位置（１０）が、
支点近傍にあることを特徴とする請求項７から９のいずれかに記載の家具。
【請求項１１】
接触位置（１０）は、レバー自由端（４）からレバー本体（３）の長さの半分以上離れて位置することを特徴とする請求項１０に記載の家具。
【請求項１２】
動くことが可能な家具部品（８）は、引き出し、蓋又は扉であることを特徴とする請求項７から１１のいずれかに記載の家具。
【請求項１３】
レバー（２）は、閉端位置において、引き出しの後面壁に当接することを特徴とする請求項１２に記載の家具。
【請求項１４】
レバー（２）は、閉端位置において、蓋又は扉に当接することを特徴とする請求項１２に記載の家具。
【発明の詳細な説明】
【技術分野】
【０００１】
本発明は、動くことが可能な家具部品のための放出装置に関する。
【背景技術】
【０００２】
この放出装置は、力をこの動くことが可能な家具部品に伝達するためのレバーを備えており、このレバーは、支点を中心に制限された範囲内で枢動するように取り付けられたレバー本体を備えており、このレバー本体は、自由端を有している。この種の放出装置は長い間使用されてきた。
【０００３】
トルクＭは、アクチュエータ（一般には電気装置）によってレバー本体に与えられる。放出装置が家具本体に配置されている場合、レバー本体によってモーメントアームｒで家具本体上に与えられた力Ｆは、式Ｆ＝Ｍ／ｒによって示される。
【０００４】
アクチュエータによって加えられるトルクＭが一定であるとすると、動くことが可能な家具部品に与えられる力Ｆが小さくなればなるほど、モーメントアームｒは長くなる。当然、モーメントアームｒの大きさは、支点とレバー本体が動くことが可能な家具部品に接触する接触位置との間の距離に対応する。従来技術によると、レバー本体がその自由端で動くことが可能な家具部品に当接するので、モーメントアームｒは、レバー本体の長さに一般的には対応する。
【０００５】
動くことが可能な家具部品がレバー本体から離れる前までにレバー本体が力Ｆを動くことが可能な家具部品に加えることができる距離は、レバー本体の長さによって影響され、レバー本体が短すぎてはならない。
【０００６】
これは、モーメントアームｒが長いために、動くことが可能な家具部品に与えられる力Ｆが小さいという、従来技術の欠点を露呈する。特に、動くことが可能な家具部品をその質量の慣性に打ち勝つように静止位置から加速しなくてはならない最初の加速段階では、アクチュエータに高負荷を与え、かつ加速が遅いために放出工程が遅いという問題がある。
【発明の開示】
【発明が解決しようとする課題】
【０００７】
本発明の課題は、これらの問題を回避する放出装置を発明することである。
【課題を解決するための手段】
【０００８】
この課題は、請求項１に記載の特徴を備えた放出装置によって解決される。
【０００９】
概して、家具本体内に装着された本発明による放出装置において、支点及び自由端からいくらか離れた箇所に曲線部を設けることにより、動くことが可能な家具部品の閉端位置にあるレバー本体は、最初に動くことが可能な家具部品上にその曲線部で接触する。
【００１０】
これは、放出工程の開始時には効果的であって、同じ寸法のレバー本体を備える従来技術よりも、より短いモーメントアームが提供される。
【００１１】
この結果として、放出工程の開始時において、アクチュエータのトルクＭは、動くことが可能な家具部品に加えられるより大きな力Ｆに変換される。
【００１２】
一方では、これはアクチュエータへの負荷を制限し（例えば、電気アクチュエータの場合では、熱負荷がより低くなる）、他方では、より速い作動を提供することによって放出時間を短くする。更なる利点は、アクチュエータへの負荷がより低いため、従来技術よりもノイズが少ないことである。含まれる部品において柔軟性があるため、本発明による放出装置において不可避的に起こる機械的な振動が従来技術に比べて著しく減少することも偶然分かった。
【００１３】
本発明の好適な実施例において、レバー本体は、長楕円形であって、少なくとも一つの更なる曲線部を最初の曲線部に隣接して配置することができる。この付加的な曲線部は、自由端及び／又は支点まで延在することができる。曲線部の寸法によって、レバーがより容易に回転するようになる。例えば、曲線部は、円弧状であってよい。付加的な曲線部が形成される場合、この曲線部は、同じ円弧の一部をなすことができる。
【００１４】
放出装置が装着された特に有益な構成は、レバー本体が動くことが可能な家具部品に接触する位置が、動くことが可能な家具部品を押すときにレバーの自由端に向かって変化することができるように曲線部を形成することである。
【００１５】
放出装置を開放する単純な手段は、タッチラッチシステムを使用することである。この場合、センサー、好ましくは回転型ポテンショメータは、レバーの角度位置を得るために装着することができる。例えば、センサーからの信号が作動制御ユニットに伝達されて、放出装置のアクチュエータがこの作動制御ユニットによって起動されるように構成することができる。
【００１６】
家具の家具本体に装着された放出装置において、この放出装置は当然、前記動くことが可能な家具部品が閉端位置にあるときにレバー本体が前記動くことが可能な家具部品上にその曲線部で当接するように構成することができる。
【００１７】
タッチラッチシステムが使用される場合、動くことが可能な家具部品を家具本体内側方向の閉端位置に押すことによって開放される。
【００１８】
驚くべきことに、本発明の好適な実施例において、レバー本体に曲線部と相互作用する動くことが可能な家具部品上に隆起部を設けることによって放出工程がかなり改善される。この構成は、レバー本体が接触する動くことが可能な家具部品上の接触位置が、全放出工程を通しておおよそ所定の位置、すなわち隆起部であることを確実にすることによってなされる。この効果は、放出装置による力を動くことが可能な家具部品上に均一に加えることができることである。例えば、この隆起部は、動くことが可能な家具部品上に配置されたアイドラーローラーを備えるように構成されてもよい。
【００１９】
動くことが可能な家具部品の最初の加速段階の間、アクチュエータによって与えられるトルクＭが可能な限り大きい力Ｆに変換されるように、本発明の更なる好適な実施例は、閉端位置においてレバー本体が接触する動くことが可能な家具部品上の接触位置は、支点近傍に位置するように家具本体に放出装置が配置される。例えばこの実施例においては、この接点は自由端からレバー本体の長さの半分以上離れている。
【００２０】
本開示の意味内において、動くことが可能な家具部品の例には、引き出し、蓋及び家具の扉が含まれる。
【００２１】
動くことが可能な家具部品が引き出しである場合、この引き出しの後面壁は、レバーが力を与えることができる位置としては特に適している。この場合の特に好適な構成は、閉端位置において引き出しの後面壁にレバーを当接させるものである。
【００２２】
動くことが可能な家具部品が蓋又は扉である場合、閉端位置において、蓋又は扉に当接するように構成されていてもよい
【発明を実施するための最良の形態】
【００２３】
本発明の他の利点及び詳細は、添付の図を参照にし、下記に詳細に記載される。なお、全ての図面において同じスケールが使用されている。
【００２４】
図１ａは、レバー２が限られた角度内で回転することができるように枢着された筐体５を備える放出装置１の概略図である。
【００２５】
放出装置１は、キャリア部材６に組み付けられており、レバー２を作動させるための電動機を備えている。キャリア部材６は、図示されていない家具本体に取り付けられている。レバー２は、レバー本体３とレバー自由端４とを備えている。アイドラーローラー７は、レバー自由端４に取り付けられている。
【００２６】
図１ａは、家具本体内の閉端位置で静止している動くことが可能な家具部品８である引き出しを扱う。アイドラーローラー７はこの引き出しの後面壁に当接している。
【００２７】
図１ｂは、グラフ化された、引き出しの後面壁にレバーによって加えられる力Ｆに対する軌跡ｓを示している。ここにおいて、軌跡ｓは、閉端位置から、レバー２への接触が無くなるポイントまでこの引き出しの後面壁が移動する距離を示す。
【００２８】
図１ｃは、軌跡ｓ上で電動機によって引き起こされる電流のグラフを示している。従来の技術の問題点は、放出軌跡ｓの開始時の動くことが可能な家具部品へ作用する力が比較的小さいことである。
【００２９】
そこで、図２ａに記載されているように、レバーの半分辺りで更なるローラー７を追加することによってこの構成を改良する試みがなされた（この例は、本発明の一部を構成しない。）
図２ｂに示されるように、この対策は、動くことが可能な家具部品８に対して、最初に加えられる力Ｆが大きく増加する結果となる。
【００３０】
しかしながら、この例における顕著な欠点は、図２ｂ及び図２ｃから推察することができる。すなわち、レバー２がレバー自由端４に取り付けられたアイドラーローラー７が動くことが可能な家具部品８に当接するポイントまで外方に旋回するや否や、力Ｆと電流Iに飛躍が起こる。この飛躍は、第２のアイドラーローラー７が接触したときに有効モーメントアームｒが急に長くなり、力Ｆが急激に減少するという事実に基づく。
【００３１】
図２ｃが示すように、これは、電動機に供給された電流Iの急激な増加を導く。なぜなら、後者は、モーメントアームｒが長くなっているので、同じ力Ｆを供給するためのトルクＭの増加が必要となるからである。これを行うことができる唯一の方法は、電動機速度を下げることであるため、この電動機は失速を強いられる。
【００３２】
本発明の放出装置１の第１の実施例が図３ａに示されている。
【００３３】
本発明によると、レバー本体は、支点とレバー自由端４との両方からの所定の距離に曲線部９を有する。この実施例において、更なる曲線部１４は、曲線部９に隣接して設けられており、レバー自由端４まで延在している。
【００３４】
図３ａから直ちに分かるように、レバー２によって動くことが可能な家具部品８に加えられる最初の力Ｆは、図１ａ及び図２ａの例の場合よりもかなり大きい。これは、レバー本体３が閉端位置において動くことが可能な家具部品８に接触する接触位置１０が支点に近いという事実による。
【００３５】
図３ｂから分かるように、本発明による実施例では力Ｆ（及び電流I（図３ｃを参照））の急激な変化が回避される。加えて、曲線部９は、レバー本体３が動くことが可能な家具部品８に接触する接触位置１０は、動くことが可能な家具部品８が放出されるときにレバー自由端４に向かって移動することができることを意味する。これにより、モーメントアームｒの連続的な増加という結果となる。
【００３６】
この効果は、図４ａに示される本発明による実施例にも起こる。
【００３７】
この実施例において、位置１０は、図３ａに示された実施例よりも支点から最初は遠くに離れているため、最初の力Ｆはいくらか小さい（図３ｂ及び４ｂを参照）。
【００３８】
本発明による更に別の実施例が、図５ａに示されている。レバー本体３の本発明による形状から得られる有益な力の軌道及び電流の軌道を図５ｂ及び５ｃに見ることができる。
【００３９】
図６ａは、図５ａの放出装置１が使用される本発明による別の実施例を示す。
【００４０】
加えて、隆起部１１は、レバー本体３の曲線部９が相互作用する動くことが可能な家具部品８に取り付けられている。この実施例において、隆起部１１は、引き出しの後面壁に適用される。この隆起部１１は、アイドラーローラー７を備える。この対策の結果、レバー本体３が動くことが可能な家具部品８に力を加える位置１０は、全放出工程の間、動くことが可能な家具部品８に対して実質的に変化しない。よって、図６ｂ及び６ｃに見られるように、力Ｆ及び電流Iの初期ピークの後、力Ｆ及び電流Iの曲線を均一なものにするという有益な結果が得られる。
【００４１】
図７は、本発明による図５ａの放出装置１の実施例であって、レバー２が完全伸長位置にある状態を示している。
【００４２】
図８は、全ての実施例の代表図であって、図７の実施例の各部品が斜視図で示されている。この場合、放出装置１の筐体５は、ノイズ減衰パッド１２及び固定ネジ１３を使用するキャリア部材６に固定することができる。
【００４３】
概して、請求項１に記載の本発明の有益な効果は、少なくとも曲線部９が自由端と支点から所定の距離のところで形成された場合に既に達成されるといえる。当然、付加的な複数の曲線部１４を備えることは可能であって、これらの曲線部は、レバー自由端４及び／又は支点まで延在することができる。しかしながら、これは不可欠ではない。
【００４４】
本発明による放出装置の更なる利点は、図９ａ及び９ｂに直線図で示されている。この利点は、放出装置がタッチラッチシステムに取り付けられている場合に関する。この場合、動くことが可能な家具部品８が閉端位置にあるときに、動くことが可能な家具部品８と家具本体との間の遊びがあり、動くことが可能な家具部品８は家具本体の方向に移動することができる。これは、センサーによって記録され、作動制御装置によって報告される。この作動制御装置は、今度は、アクチュエータを起動させ、放出装置が動くことが可能な家具部品を外方に押し出す。
【００４５】
図９ａは、図１ａに示されたレバー２を参照しており、図９ｂは、図３ａの本発明によるレバー２の状況を概略的に示している。いずれの場合においても、支点１５及びモーメントアームｒは、レバー２の２つの異なる位置において示されている。
【００４６】
図９ａは、図９ｂの角度μと比較して異なる角度μ'によって識別される。異なる位置は、家具本体（ここでは図示されず）に向かって距離Ｘの分だけ移動された動くことが可能な家具部品８を基準としている。
【００４７】
従って、角度μ又は角度μ'の変化は、移動した距離Ｘによってそれぞれ影響される。放出装置１において、角度μ又は角度μ'の変化を放出装置によってそれぞれ検出することができるように設計されている場合、動くことが可能な家具部品８への押圧を放出工程を始動するのに使用することができる（タッチラッチシステム）。
【００４８】
従来のケースにおいて（図９ａ）、比較的長いモーメントアームrは小さい角度変化μ'のみを生じることに留意すべきである。
【００４９】
対照的に、図９ｂは、直線位置Ｘがいくらか変化すると、遥かに大きい角度変化μとなり、かつ短いモーメントアームｒを有している。本発明による実施例のレバー２を使用することによって、動くことが可能な家具部品を内方に押圧することによって放出装置を操作しようとするユーザの意図が、値μがμ'よりも大きいためより確実に検知される。
【図面の簡単な説明】
【００５０】
【図１ａ】従来技術の放出装置の概略図である。
【図１ｂ】従来技術の放出装置の放出軌跡ｓに対して与えられた力Ｆのグラフである。
【図１ｃ】従来技術の放出装置の放出軌跡ｓに対して与えられた電流Iのグラフである。
【図２ａ】従来技術の別の放出装置の概略図である。
【図２ｂ】従来技術の別の放出装置の放出軌跡ｓに対して与えられた力Ｆのグラフである。
【図２ｃ】従来技術の別の放出装置の放出軌跡ｓに対して与えられた電流Iのグラフである。
【図３ａ】本発明による第１の実施例の類似する図である。
【図３ｂ】本発明による第１の実施例の類似する図である。
【図３ｃ】本発明による第１の実施例の類似する図である。
【図４ａ】本発明による別の実施例の類似する図である。
【図４ｂ】本発明による別の実施例の類似する図である。
【図４ｃ】本発明による別の実施例の類似する図である。
【図５ａ】本発明による別の実施例の類似する図である。
【図５ｂ】本発明による別の実施例の類似する図である。
【図５ｃ】本発明による別の実施例の類似する図である。
【図６ａ】本発明による別の実施例の類似する図である。
【図６ｂ】本発明による別の実施例の類似する図である。
【図６ｃ】本発明による別の実施例の類似する図である。
【図７】図６ａに記載の実施例のレバーが外側に旋回した概略図である。
【図８】図５ａ及び図７に記載の実施例の家具内に装着される各部品の斜視図である。
【図９ａ】従来技術の放出装置のレバーの図である。
【図９ｂ】本発明の放出装置のレバーの図である。
【図１ａ】
2008539343.tif 000003
【図１ｂ】
2008539343.tif 000004
【図１ｃ】
2008539343.tif 000005
【図２ａ】
2008539343.tif 000006
【図２ｂ】
2008539343.tif 000007
【図２ｃ】
2008539343.tif 000008
【図３ａ】
2008539343.tif 000009
【図３ｂ】
2008539343.tif 000010
【図３ｃ】
2008539343.tif 000011
【図４ａ】
2008539343.tif 000012
【図４ｂ】
2008539343.tif 000013
【図４ｃ】
2008539343.tif 000014
【図５ａ】
2008539343.tif 000015
【図５ｂ】
2008539343.tif 000016
【図５ｃ】
2008539343.tif 000017
【図６ａ】
2008539343.tif 000018
【図６ｂ】
2008539343.tif 000019
【図６ｃ】
2008539343.tif 000020
【図７】
2008539343.tif 000021
【図８】
2008539343.tif 000022
【図９ａ】
2008539343.tif 000023
【図９ｂ】
2008539343.tif 000024
【国際調査報告】
2008539343.tif 000025
2008539343.tif 000026
2008539343.tif 000027
2008539343.tif 000028